(57)【特許請求の範囲】
【請求項１】
防水床の外周部に壁パネル積載面を有し、積載面のさらに外側の防水床最外周部に上方に向かって立ちあげられた水返し辺を持ち、建具下枠を防水床の外周部より脱衣所側にはみ出させて設置するか、あるいは防水床の建具設置部の水返し辺を削除して壁積載面に設置する浴室ユニットの出入口部床防水構造において、万一、前記建具の縦枠及び下枠の接続部から漏水した場合、漏れ出した水は前記建具下枠の下部に設けられた、前記防水床の外周部の壁積載面、および壁積載面の外周の上方に向かって立ちあげられた水返し辺に水密的に接続されている防水トレイにキャッチされ、該防水トレイの立ち上げ部上端までは建築躯体に漏れ出さないように形成されたことを特徴とする浴室ユニットの出入口部床防水構造。
【請求項２】
前記防水トレイの脱衣所側に臨む辺が、建具下枠と脱衣所側を接続する部分付近まで上方に立ちあげられ、立ち上げ辺の上端が脱衣所床仕上げ面と並行に折り返され、建具下枠と脱衣所床を接続する際に建具下枠取付フランジ部分と脱衣所床面との間に挟み込まれて取付けされることを特徴とする請求項１記載の浴室ユニットの出入口部床防水構造。
【請求項３】
前記防水トレイが厚さ２ｍｍ以下の薄物材料にて成形されていることを特徴とする請求項１乃至請求項２記載の浴室ユニットの出入口部床防水構造。
【請求項４】
前記防水トレイの防水床壁積載面側の端部が下方に折り返された折り返し辺を有し、防水トレイが取り付けられる可能性のある防水床壁積載面には凹形状の溝が形成され、防水トレイの折り返し辺を凹形状の溝中に差しみ、かつその上部より軟質材を具備した押えピースを防水床の凹形状の溝中に差し込み、床と嵌合させることで、防水トレイを供固定し取付けすることを特徴とする請求項１乃至請求項３記載の浴室ユニットの出入口部床防水構造。
【発明の詳細な説明】
【０００１】
【発明の属する技術分野】
本発明は組み立て式の浴室ユニット(シャワーユニットも含む)の出入口部床防水構造に関するものである。
【０００２】
【従来の技術】
組み立て式衛生設備室である浴室ユニットの出入口部には、通常、開き戸・折戸・引き戸のいずれかの建具が設置されている。これらの建具は建具枠部と障子部から構成されており、一般的には、建具枠・障子部ともにアルミ及びプラスチックの押し出し材によって製作され、建具枠は、左右2本の縦枠、上枠、下枠の4方の押し出し材をビス固定などで組み立てることで4方の建具枠としている。
建具枠は、浴室ユニットの構造体である壁パネル同様に防水床の外周部の壁積載面に積載され、浴室ユニットの構造体の一部となる。障子部は、この建具枠に可動可能な状態で取り付けられ、開閉することで出入口となる。
【０００３】
前述の建具枠は、浴室ユニットを構成する壁パネルとほぼ同じ状態で防水床に積載・取付けされ、壁パネルと同様にその接続部分から浴室ユニット外部に水を漏らさないような水密性能を有すことを求められている。
また、建具部分のみならず、浴室ユニットを構成する壁パネル接続部などから漏水してしまった場合のために、防水床の壁積載面の外周には、全周にわたって最終水返しのための立ち上げ辺が形成され、簡単に外部に水を漏らさない仕様になっている。
【０００４】
【発明が解決しようとする課題】
しかしながら、通常の建具枠は、前述したように上枠・縦枠・下枠の4本の長尺の押し出し部材をビス固定などで組み立てることで4方枠として構成されるため、それぞれの接続部には、隙間が生じやすく、十分な水密性能を得にくい。当然、この部分の水密性能を高めるために、接続部分には、水密材を挟み込みながら組み立てるなどの考慮はなされているのだが、各々の枠材が一般的にアルミやプラスチックの押し出し材を使用しており肉厚が薄く(1〜２ｍｍ程度)、接続方法が単純な突き合わせ接続であることなどの理由から、十分な水密性能を出しにくく、建具部分以外の壁の接続部などと比較しても、少々劣る水密性能しか得られない構造となっていた。特に下枠と左右の縦枠との繋ぎ合せ部は、水にさらされやすいことから条件が厳しく、さらに、近年の高齢者対応商品では、建具部分の入り口段差が小さく、浴室内の水を仕舞うグレーチング付きの排水溝が無い仕様が中心になっているため、浴室内の使用水が建具下枠部分に到達しやすく、建具下枠部分にとって水密的に厳しい環境となっていた。
【０００５】
これらの建具枠合わせ面の弱点を強化するために、接続部分に各枠材接続用の別ピースを用いて水密性の向上を図る手段もあるが、建具が特殊なものとなりコスト的に高くなるため、あまり一般的には採用されていない。
【０００６】
また、通常の浴室ユニットでは、前述したように部屋を構成する建具部分や壁パネル等の接続部分から万が一漏水することがあっても、壁積載面の外方(通常は浴室ユニットの壁面から２０ｍｍ〜４０ｍｍ外側)に立ちあげられた防水床の最終水返し辺によって、外部に漏水する最悪の事態を防止していたのであるが、現在の主力商品の高齢者対応仕様では、取合寸法上、建具部分の防水床最終水返し辺を削除する必要があるため、この部分は、水返し辺が欠落してしまい、建具繋ぎ合せ部から漏水があった場合、たとえ少量でも外部漏水に直結してしまう状況になっていたのである。これは、高齢者対応商品などで入り口段差を小さくしようとすると、前記防水パンの最終水返し辺が、建具下枠部と干渉するために生じるものである。
【０００７】
また、防水床の壁積載面は、床全周で連通しているため、建具設置部分の最終水返し辺を削除するということは、建具設置部ではない防水床外周部に最終水返し辺をいくら高く立ちあげてみても、結局は、削除してしまった建具設置部のレベルまでしか水返しの機能を果たさないということになり、建具下枠部分からの直接漏水のみならず、いかなる部分からの漏水であっても、壁裏に廻ってしまった漏れ水に関しては、一部でも最終水返し辺をカットしてしまうと水密の性能が著しく低下してしまうという問題があった。
【０００８】
この問題の解決策として、建具下枠を全体的にカバーするような防水床形状にして、水返しを切除しなくても建具と干渉しないような寸法にする手段があるが、建具下枠の見込み寸法は一般的に７０ｍｍ〜１００ｍｍ程度あり、壁パネルの部分で必要な見込み寸法より遥かに大きいため、建具を設置する可能性のある場所すべてを防水床でカバーしようとすると、防水床が一回り大きな物になってしまうことになり、所定の浴室ユニット設置場所に収まらないことになる。
【０００９】
また、建具の付く位置だけ防水床を延長して飛び出させて、下枠をカバーする形状にすると、建具の位置、すなわち入口勝手にあわせて高価な防水床の型が何種類も必要になり、非常に効率が悪いものになるのである。
【００１０】
本発明は、以上の点に鑑み、建具枠、及びその他の壁パネル接合部などからの建具枠裏面、壁裏面への漏水があった場合でも、その部分からの漏水が外部漏水になりにくく、水密的な安全性を高めた浴室ユニットの出入口部床防水構造を安価に提供することを目的としている。
【００１１】
【課題を解決するための手段】
上記目的を達成するために請求項１記載の発明は、防水床の外周部に壁パネル積載面を有し、積載面のさらに外側の防水床最外周部に上方に向かって立ちあげられた水返し辺を持ち、建具下枠を防水床の外周部より脱衣所側にはみ出させて設置するか、あるいは防水床の建具設置部の水返し辺を削除して壁積載面に設置する浴室ユニットの出入口部床防水構造において、万一、前記建具の縦枠及び下枠の接続部から漏水した場合、漏れ出した水は前記建具下枠の下部に設けられた、前記防水床の外周部の壁積載面、および壁積載面の外周の上方に向かって立ちあげられた水返し辺に水密的に接続されている防水トレイにキャッチされ、該防水トレイの立ち上げ部上端までは建築躯体に漏れ出さないように形成されたことを特徴とするものである。
【００１２】
この発明では、建具下枠の枠材合わせ目から万が一漏水した場合でも、下枠の下部の裏面に装備された防水トレイによって漏れ水がキャッチされ外部の建築躯体に漏水しないようにすることができる。また、この発明では、防水トレイが防水床本体と水密的に接続されているため、どの部分からの漏水であっても、壁裏面に廻った水を外部に漏水させにくくすることができる。
【００１５】
この発明の請求項２記載の発明は、請求項１の発明の場合において前記防水トレイの脱衣所側に臨む辺が、建具下枠と脱衣所側を接続する部分付近まで上方に立ちあげられ、立ち上げ辺の上端が脱衣所床仕上げ面と並行に折り返され、建具下枠と脱衣所床を接続する際に建具下枠取付フランジ部分と脱衣所床面との間に挟み込まれて取付けされることを特徴とするものである。
【００１６】
この発明では、防水トレイの脱衣所側に臨む辺の上縁部を脱衣所床に接続することで、取り付け強度をあげることができ、あわせて、建具下枠の接続部のほぼすべてをカバーすることが可能となり、かつ脱衣所仕上げ面のレベル付近まで防水トレイの上縁を立ちあげることができるため、建具枠設置のために切り欠かれた防水床の最終水返し辺を復元することができ、上部まで高い水密性を保証できる。
【００１７】
この発明の請求項３記載の発明は前記防水トレイが厚さ２ｍｍ以下の薄物材料にて成形されたことを特徴とするものである。
【００１８】
この発明では、建具下枠と防水床面との取合寸法に大きな影響を与えること無く防水トレイを設置できる。
【００１９】
この発明の請求項４記載の発明は、前記防水トレイの防水床取付け端部が下方に折り返された折り返し辺を有し、防水トレイが取り付けられる可能性のある防水床壁積載面には、凹形状の溝が形成され、防水トレイの折り返し辺を溝中に差しみ、かつその上部より軟質材を具備した押えピースを防水床の溝中に差し込み、床と嵌合させることで防水トレイを供固定し、取付けされることを特徴とするものである。
【００２０】
この発明では、防水トレイと防水床との接続の際、防水トレイの強度をいたずらに高めること無く、高い水密性を有した状態で簡単に取付けすることができる。
【００２１】
【発明の実施の形態】
以下、本発明の実施の形態を図面を参照しつつ説明する。
図１は、この発明の一実施の形態による浴室ユニットの出入口部床防水構造を示している。
【００２２】
浴室ユニットＹは、図１で示されるように、脱衣室Ｄに隣接して設けられており、この浴室ユニットＹの洗い場２３側に脱衣室Ｄに通じる出入口部１が形成されている。この浴室ユニットＹは、組み立て式のユニットバスルームであり、樹脂材によって一体的に成形された防水床２の外縁部には、壁パネル３を載置するための壁積載面２１が形成されている。壁積載面２１の外周には、上方に向けて立ち上がった最終水返し辺２０が形成され、壁パネル３は、前記防水床２外縁部の壁積載面
２１に載置され、出入口部１には、建具枠４が壁パネル３と同様に壁積載面２１上に載置される。
【００２３】
そして壁パネル３の上部に天井パネル（図示せず）が積載固定されて、浴室ユニットの構造体が構成される。
この場合、壁積載面２１は、防水床２の洗い場面２３よりも低い位置に形成されており、壁積載面２１の略中央部には、長手方向に添って凹形状の溝２２が形成されている。
【００２４】
出入口部１は、建具枠４と、これに開閉可能な状態で取り付けられる障子４０とから構成されている。建具枠４は、図４に示すように左右の縦枠４１と上部の上枠（図示せず）下部の下枠４２の４本からなり、それぞれビスによって接続されて、４方の枠を形成している。
【００２５】
前述のとおり、建具枠４は、壁パネル３同様に防水床２の壁積載面２１上に載置され固定されるが、出入口部１の防水床外周の最終水返し辺２０は、建具下枠４２と干渉するために図３に示すように壁積載面２１のレベルと略同一の高さで切り取られ切り欠き部２４とされている。
【００２６】
防水トレイ５は、出入口部１の建具下枠４２の下部（裏面）にあたる防水床の壁積載面２１に取り付けられている。この防水トレイ５は各種プラスチック及び金属系の材料などで成形されており、厚みは、２ｍｍ程度の薄肉のもので成形され、建具下枠４２を覆うような形状で防水床２の建具設置部に取り付けられる。
【００２７】
防水トレイ５の脱衣所Ｄ側に臨む部分は脱衣所床６レベル付近まで上方に向けて立ちあげられ、立ち上げ部上端５０は脱衣所Ｄ側に向けて床面と並行に折り返されている。
【００２８】
防水トレイ５の浴室側の端部５１は、下方に向けて折り返されており、壁積載面２１に形成された凹状の溝２２の中に差しこまれ、軟質材７０を具備した押えピース７を防水床の凹状溝２２の中に押し込む際に、同時に押し込まれ、床に供固定される。
【００２９】
防水トレイの両サイド部分５２は、防水床最外周部の最終水返し辺２０と水密接合できるようにフランジ形状とされ、シリコンあるいは両面テープ・ビスなどで床の最終水返し辺２０と水密的に接続されている。
【００３０】
建具下枠４２との干渉のため切り取られ削除された建具設置部分の防水床最終水返し辺２０は、防水トレイ５をこの部分に取り付けるこれらの構造によって復元されることとなる。
【００３１】
建具枠４は、防水トレイ５の中に下枠・縦枠の下部ともに落とし込むように設置され、隣接する壁パネル３と接続され、ユニット構造体を構成する。
洗い場面２３と建具下枠４２との間にはシリコンコーキング８が施され、建具下枠４２と防水床２との間を水密接続している。
【００３２】
防水トレイ５は、前述のように薄物（２ｍｍ以下）の材料で成形されているため、脱衣所Ｄ側に臨む辺の立ち上げ部上端５０は、建具下枠４２と脱衣所床６との空間に挟み込むことが可能で、建具下枠４２と共に、建具枠取付けビス４４によって脱衣所床６に取合寸法に影響を与えない状態で接続される。このことは、建具枠４と脱衣所Ｄとを接続する接続フランジ部４３は一般的に３ｍｍ段差まで許されており、大部分の建具下枠は、フランジ部４３が１ｍｍ厚の板材からなり、それを下方に３ｍｍ折り返した形状になっているため、内部に２ｍｍの厚みのものが挟み込めることから可能になるものである。
【００３３】
建具枠４には、障子４０が取り付けられ、浴室の出入口部１を開閉する。
開閉の形態としては内／外開きの開戸・内／外開きの折戸・各種引き戸など、さまざまなバリエーションが存在する。
【００３４】
次にこの浴室ユニットの出入口部床防水構造の作用について説明する。
浴室Ｙで使用した湯水は洗い場２３の表面に流され、大部分のものは洗い場２３に形成された排水勾配によって浴室の排水口部（図示せず）に流されるが、一部のものは出入口部１に押し寄せてしまう。
出入口部１に流れた水は、従来であれば、出入口部１に形成された入口段差・あるいはグレーチング付きの排水溝などで仕舞われ、建具の下枠部に到達しにくくなっているが、出入口段差を小さくし、排水溝なども削除してしまった近年の浴室では、洗い場での使用水が出入口部分１に到達しやすくなっているため、建具障子４０に新たに設けられた水密材９で水密され、脱衣所Ｄ側に直接溢れ出さないように配慮されている。
【００３５】
しかし、出入口部１に押し寄せた水は、同時に建具下枠部４２にも押し寄せることになり、この部分を水没させることとなる。建具障子部分４０は、直接脱衣所Ｄに水が漏れ出さないように水密材９等で水密されているが、建具枠の構造は、前述のように長尺の押し出し材の突合わせ組み立て品であるため、水密性が弱く、条件が悪いと、水没した状態で水密を保つことは難しい構造になっている。万一、枠の合わせ目から漏水した場合、漏れ出した水は建具下枠４２の下部と防水床２の間に設けられた防水トレイ５にキャッチされ、防水トレイ５の立ち上げ部上端５０までは建築躯体に漏れ出さない。
【００３６】
また、防水トレイ５が設置される壁積載面２１は、浴室ユニット全周の壁積載面２１と連通しているため、建具下枠４２から漏水した水ばかりでなく、壁裏に漏れた水であれば、浴室ユニットのどの部分から漏水しても、防水トレイ５にてキャッチすることになる。
【００３７】
以上のように、本発明では建具枠４の組み立て接続部から漏水があった場合でも、
防水トレイ５によってこれを捕捉することが可能で、建具部分の漏水に対する安全性を高めることができる。
【００３８】
また、この浴室ユニット出入口部床防水構造では、建具部分の防水トレイ５を防水床２本体の壁積載面２１、及び壁積載面の外周部に立ちあげられた最終水返し辺２０に水密的に接続しているので、入り口段差を低減するため、建具設置部分の防水床外周部の最終水返し辺２０を削除した場合でも、防水トレイ５の上端部までは壁裏面に漏れ出した水を貯水することができ、浴室ユニット全体の外部への漏水に対する安全性を高めることができる。
【００３９】
たとえば、浴室ユニットの出入口部１から遠く離れた浴槽側のコーナー部の壁パネルの合わせ目から漏水があった場合、そこから壁裏に漏れ出た水は、床の最外周部に設けられた最終水返し辺２０と壁裏面との間にキャッチされる。この空間は、浴室ユニット全周に連通しているので、どの部分から漏水があったとしても、同じレベルまでは壁裏と最終水返し辺２０との間に水が溜まることになる。防水トレイ５が装備されず、建具取付け部分の床外周部最終水返し辺２０が削除されていたとしたら、これらの壁裏面に廻った漏れ水は、一番レベルの低い水返し切り欠き部２４から簡単に漏れ出すことになる。
本構造では、防水トレイの立ち上げ部上端５０まではこれらの漏れ水を貯水することが可能で、外部の建築躯体などに漏水させることはない。
【００４０】
さらに、この浴室ユニットの出入口部床防水構造では、防水トレイ５の脱衣所Ｄ側に臨む辺を脱衣所床６と建具下枠４２を接続する部分まで立ちあげ、建具下枠の接続フランジ部４３と脱衣所床６との間に挟み込んで接続しているため、出入口建具部分とほぼ同じレベルまで、万が一の貯水が可能になるとともに、防水トレイ５の構造的な取付け強度をあげることができる。これは、防水トレイ５本体が低強度の材料や軟質材料であったとしても、万が一漏れ出した水を貯水することができる構造的な強度を持たせることが可能になることを意味しており、防水トレイ５の材料選定や材料費節減などに有効である。
【００４１】
なお、どのような形態の浴室ユニットであっても、壁積載面２１の外縁部の最終水返し辺２０の高さの有効範囲は建具下枠の接続フランジ部４３の裏面までが最高位となる。
なぜなら、建具部分では、下枠表面より床の最終水返し辺２０の上端が飛び出すことはあり得ないし、建具部分以外の部分で、この高さ以上の所まで水返し辺を立ちあげても、建具下枠４２裏面と最終水返し辺２０との隙間から先に漏水するため、実質的にはあまり意味の無いことになるためである。
すなわち、建具下枠の接続フランジ部４３の裏面まで床の貯水レベルを上げることができれば、浴室ユニットの貯水能力としてはどのような場合でも最高のレベルとなるのである。
【００４２】
また、この浴室の出入口部床防水構造では、防水トレイ５が厚み２ｍｍ以下の薄物の材料（各種プラスチック・金属・透水性の無いゴムなど）から成っているため、建具下枠４２と防水床面、あるいは防水トレイ５と脱衣所Ｄとの取合寸法に大きな影響を与えること無く設置可能である。
【００４３】
また、前述のように防水トレイ５の脱衣所Ｄ側に臨む立ち上げ部上端５０を建具下枠部の接続フランジ部４３と脱衣所床６との間に挟み込んで固定する場合にも、取合に影響を与えること無く、挟み込みが可能になる。なぜなら、各種公的な規定では入り口段差３ｍｍまでであれば、実質的に段差無しとみなしている関係上、ほぼすべての建具で下枠の接続フランジ部４３の厚みは、脱衣所側から見た場合、３
ｍｍにされている。この３ｍｍは、中実の３ｍｍではなく１ｍｍの押し出し材の端部を下方に３ｍｍ折り返し、見かけ上、３ｍｍとしているものが大半であるため、中身に２ｍｍの空洞部分が存在し、２ｍｍの厚みのものであれば、この部分に取合い寸法に影響を与えること無く挟み込みが可能なのである。
【００４４】
さらに、この浴室ユニットの出入口部床防水構造では、防水トレイ５の取り付けられる可能性のある部分の壁積載面２１上に凹形状の溝２２が形成され、防水トレイ５の壁積載面２１に臨む端部５１が下方に折り返され、この溝２２中に差し込まれ、上部より軟質材７０を具備した押えピース７をあらかじめ溝２２中に差し込まれた防水トレイ５の端部折り返し部５１と共に壁積載面の凹形状の溝２２の中に嵌合させることで、防水トレイ５を固定するため、一般的なビス固定などに比べ、取付け部の強度も必要無く、いたずらに防水トレイ５の強度をあげることもない。
これにより防水トレイ５本体が薄物の材料で作られた低強度のものでも、またゴム状の軟質材料のものでも確実に水密的に床に固定することができるとともに、取り付けのための手間を削減することができる。
【００４５】
【発明の効果】
この発明は以下に記載されるような効果を奏す。この発明の請求項１記載の発明によれば、防水床の外周部に壁パネル積載面を有し、積載面のさらに外側の防水床最外周部に上方に向かって立ちあげられた水返し辺を持ち、建具下枠を防水床の外周部より脱衣所側にはみ出させて設置するか、あるいは防水床の建具設置部の水返し辺を削除して建具を壁積載面に設置する浴室ユニットにおいて、出入口を形成する建具の下枠部分の裏面側に、床本体とは別体の防水トレイを装備しているため、建具枠の組み立て接続部から漏水があった場合でも、防水トレイによってこれを捕捉することが可能で、建具部分の漏水に対する安全性を高めることができる。
また、防水トレイが防水パンの外周部の壁積載面、および壁積載面の外周の上方に向かって立ちあげられた水返し辺に水密的に接続されているので、出入口段差を低減するため、建具設置部分の防水床外周部の最終水返し辺を削除した場合でも、防水トレイの上端部までは壁裏面に漏れ出した水を貯水することができ、浴室ユニット全体の外部への漏水に対する安全性を高めることができる。
【００４７】
この発明の請求項２記載の発明は、請求項１記載の発明の場合において、防水トレイの脱衣所側に臨む辺が、建具下枠と脱衣所側を接続する部分付近まで上方に立ちあげられ、立ち上げ辺の上端が脱衣所床仕上げ面と並行に折り返され、建具下枠と脱衣所床を接続する際に、建具下枠取付けフランジ部分と脱衣所床面との間に挟み込まれて取付けされているので、出入口建具部分とほぼ同じレベルまで万が一の貯水が可能になるとともに、防水トレイの構造的な取付け強度をあげることができる。このため、防水トレイ本体が低強度の材料や軟質材料であったとしても、万が一漏れ出した水を貯水することができる強度を持たせることが可能になり防水トレイの材料選定の自由度や材料費節減などに有効である。
【００４８】
この発明の請求項３記載の発明は、請求項１乃至請求項２記載の発明の場合において、防水トレイが厚さ２ｍｍ以下の薄物材料にて成形されているので、建具下枠と防水床面、あるいは防水トレイ本体と脱衣所側建築躯体との取合寸法に大きな影響を与えること無く設置することができる。
【００４９】
この発明の請求項４記載の発明は、請求項１乃至請求項３記載の発明の場合において、防水トレイの防水床取付け側の端部が下方に折り返された折り返し辺を有し、防水トレイが取り付けられる可能性のある防水床壁積載面には、凹形状の溝が形成され、防水トレイの端部折り返し辺を溝中に差しみ、かつ、その上部より軟質材を具備した押えピースを防水床の溝中に差し込み、床と嵌合させることで防水トレイを供固定し取付けされるので、一般的なビス固定などに比べ、取付け部の強度も必要無く、いたずらに防水トレイの強度をあげる必要が無い。
【００５０】
これにより、本体が薄物の材料で作られた低強度のものでも、またゴム状の軟質材料のものでも確実に水密的に床に固定することができるとともに、取り付けのための手間を削減することができる。
【図面の簡単な説明】
【図１】 この発明の一実施形態に係る浴室の出入口部床防水構造の斜視図である。
【図２】 図１で示される浴室の出入口部周りから、建具と壁パネルとを除いた図 である。
【図３】 防水トレイの取付け部床付近の斜視図である。
【図４】 建具枠組み立て状態説明用斜視図である。
【符号の説明】
Ｙ       浴室ユニット
Ｇ       脱衣所額縁
１       出入口部
２       防水床
２０     最終水返し辺
２１     壁載せ面
２２     溝
２３     洗い場
３       壁パネル
４       建具枠
４０     障子
４１     縦枠
４２     下枠
４３     取付けフランジ部
４４     建具枠取付けビス
５       防水トレイ
５０     立ち上げ部上端（防水トレイ）
５１     浴室側端部（防水トレイ）
５２     両サイド部（防水トレイ）
Ｄ       脱衣所
６       脱衣所床
７       押えピース
７０     軟質材
８       シリコンコーキング
９       水密材
【図１】
0003931515.tif 000002
【図２】
0003931515.tif 000003
【図３】
0003931515.tif 000004
【図４】
0003931515.tif 000005